(57)【要約】【課題】より高性能の装身用保冷具を提供する。【解決手段】ユーザが肌又は肌着に密着させて使用する装身用保冷具１であって、少なくとも、第１吸水部３と、第２吸水部３と、を有し、第１吸水部３と第２吸水部３とを連結する連結部５とを有し、連結部５は、第１吸水部３と第２吸水部３よりも厚さを薄く構成したことによって、ユーザが装着した際に空気が通過可能な通風部Ａを有する。好適には、第１吸水部及び前記第２吸水部は、水を吸収して膨張する吸水材料と、前記吸水材料を収納する布部と、を有する。【選択図】図１
2017131272.tif 000002
【特許請求の範囲】
【請求項１】
少なくとも、第１吸水部と、第２吸水部と、を有し、
前記第１吸水部と第２吸水部とを連結する連結部とを有し、
前記連結部は、前記第１吸水部と前記第２吸水部よりも厚さを薄く構成したことによって、ユーザが装着した際に空気が通過可能な通風部を有する
ユーザが肌又は肌着に密着させて使用する装身用保冷具。
【請求項２】
前記第１吸水部及び前記第２吸水部は、
水を吸収して膨張する吸水材料と、
前記吸水材料を収納する布部と、
を有する
請求項１に記載の装身用保冷具。
【請求項３】
前記連結部は、前記第１吸水部及び前記第２吸水部の布部が同一の材料によって形成されている
請求項１又は請求項２に記載の装身用保冷具。
【請求項４】
吸水部を有し、
前記吸水部に隣接しており、
前記吸水部を冷却するために、ユーザが装着した際に空気が通過可能な、
通風部が形成されている
ユーザが肌又は肌着に密着させて使用する装身用保冷具。
【発明の詳細な説明】
【技術分野】
【０００１】
本発明は、ユーザの体又は肌着に密着させて使用される装身用保冷具に関する。
【背景技術】
【０００２】
従来、特許文献１に記載されているような装身用保冷具が開発されている。
【先行技術文献】
【特許文献】
【０００３】
【特許文献１】特開２０１２−１６１３９１号公報
【発明の概要】
【発明が解決しようとする課題】
【０００４】
しかしながら、特許文献１に記載の装身用保冷具においては、その冷却性能等が十分ではない、使い勝手が悪い等の性能の問題点がある。
【０００５】
本発明は、より高性能の装身用保冷具を提供することである。
【課題を解決するための手段】
【０００６】
本発明の第１の観点の装身用保冷具は、ユーザが肌又は肌着に密着させて使用する装身用保冷具であり、少なくとも、第１吸水部と、第２吸水部と、を有し、
前記第１吸水部と第２吸水部とを連結する連結部とを有し、前記連結部は、前記第１吸水部と前記第２吸水部よりも厚さを薄く構成したことによって、ユーザが装着した際に空気が通過可能な通風部を有する。
【０００７】
好適には、前記第１吸水部及び前記第２吸水部は、水を吸収して膨張する吸水材料と、前記吸水材料を収納する布部と、を有する。
【０００８】
好適には、前記連結部は、前記第１吸水部及び前記第２吸水部の布部と同一の材料によって形成されている。
【０００９】
本発明の第２の観点の装身用保冷具は、ユーザが肌又は肌着に密着させて使用する装身用保冷具であり、吸水部を有し、前記吸水部に隣接しており、前記吸水部を冷却するために、ユーザが装着した際に空気が通過可能な、通風部が形成されている。
【発明の効果】
【００１０】
本発明における装身用保冷具によって、より高性能の装身用保冷具を提供することが可能となった。
【図面の簡単な説明】
【００１１】
【図１】装身用保冷具の使用形態の第１の実施形態の説明図である。
【図２】装身用保冷具の展開図である。
【図３】図２における、ＩＩＩ−ＩＩＩの断面形状の説明図である。
【図４】第２の実施形態の説明図である。
【図５】第３の実施形態の説明図である。
【図６】第４の実施形態の説明図である。
【図７】第６の実施形態の説明図である。
【図８】第７の実施形態の説明図である。
【図９】第８の実施形態の説明図である。
【発明を実施するための形態】
【００１２】
＜第１の実施形態＞
図１は、装身用保冷具１の使用形態の第１の実施形態の説明図である。
【００１３】
図１のように、ユーザ１０１の首部を巻くように用いられる。又は、首以外の足部、腕部などに巻いて使用してもよい。さらに、ユーザ１０１の腰部、肩部、などに巻き込まずに、単に押し当てて使用してもよい。
また、ユーザ１０１に直接触れなくても、肌着などを介して使用するものであっても良い。
更に、装身用保冷具１は、各種の服などに、織り込むことも可能である。加えて、装身用保冷具１は、服に挿入・装着して使用されるものであっても良い。
【００１４】
装身用保冷具１は、ボタン７と切れ目９とを有する。
このボタン７と切れ目９によって、円状に連結することが可能である。
また、装身用保冷具1は、円状に連結する際、ボタンの代わりにマジックテープ（登録商標）やファスナー（面ファスナー）などを使用しても良い。
更に、装身用保冷具1は、円状に連結する際、ボタンホールを使用して端部を通す、両端部を結ぶなどの形状であっても良い。
【００１５】
装身用保冷具１は、厚さの厚い吸水部３と、厚さの薄い連結部５とを有する。
この吸水部３と連結部５との、厚さの違いによって、装身用保冷具１は、通風部Ａが形成される。
なお、特許文献１の物は、一見するとこの通風部Ａ（図３も参照のこと）が形成されていそうに見えるが、実際の使用時には、袋部が潰れてこのような通風部Ａが形成されるものではない。
それに対して、本発明では、使用時であってもこの通風部Ａが潰れてしまわないように意図的に形成している。
【００１６】
図２は、装身用保冷具１の展開図である。
【００１７】
図２のように、装身用保冷具１は、長手方向の一端にボタン７が形成され、他端に貫通する切れ目９が形成されている。
また、図２において、紙面手前側がユーザ１０１側であり、紙面奥側が外側になる。
装身用保冷具１は、ユーザ１０１側のユーザ側布１３と、ユーザ１０１とは反対側の外側布１５とを有している（図３も参照のこと）。
そして、装身用保冷具１は、ユーザ側布１３と外側布１５とを、その外周を循環するように、縫い付けられている。
その縫い目の上側を上部縫目１１ｕとよぶ、同様に下側を下部縫目１１ｄという。
更に、装身用保冷具１は、上部縫目１１ｕと下部縫目１１ｄとの間を図２中で上下に縫いこむ中間縫目１１ｍが複数箇所設けられている。
この中間縫目１１ｍによって、吸水部３と連結部５とが区分けされている。なお、この中間縫目１１ｍについては、図３において詳説する。
【００１８】
図３は、図２における、ＩＩＩ−ＩＩＩの断面形状の説明図である。
【００１９】
図３のように、外側布１５は、吸水部３の一部を形成する吸水外側布１５ａ、及び、連結部５の一部を形成する連結外側布１５ｂを有する。
ユーザ側布１３は、吸水部３の一部を形成する吸水ユーザ側布１３ａ、及び、連結部５の一部を形成する連結ユーザ側布１３ｂを有する。
外側布１５及びユーザ側布１３は、図２でも説明したように、中間縫目１１ｍによって、上下に縫いこみが入れられている。
そして、この中間縫目１１ｍによって、吸水部３の内部に保持される吸水物質１７が、連結部５に流れ出すことを防いでいる。
この中間縫目１１ｍによって区分けされていることから、吸水物質１７が吸水部３に保持されることになる。
そして、これによって、連結部５と吸水部３との厚さの差を維持し、もって、通風部Ａが形成されることになる。
【００２０】
吸水物質１７は、高吸水性樹脂の粒子である。
この吸水物質１７は、水を吸収させると、高吸水性樹脂のゲル状膨潤物質となる。
この吸水物質１７に水を含ませた状態にてユーザ１０１の肌等に密着等させることによって、ユーザに冷感作用を生じさせる。
次に、外側布１５及びユーザ側布１３は、ユーザ１０１により清涼感を与える布地によって形成することが望ましい。
ただし、外側布１５及びユーザ側布１３は、吸水物質１７を外部に通過させない物質によって形成するべきである。
【００２１】
また、中間縫目１１ｍの縫い方も吸水物質１７が、吸水部３から連結部５に移動しない密度の濃い縫い方をしている。
また、同様に、上部縫目１１ｕと下部縫目１１ｄも、吸水物質１７が吸水部３から外部に漏れ出さないような密度の濃い縫い方をしている。
これらによって、吸水物質１７が吸水部３内に保持される。
【００２２】
装身用保冷具１は、吸水物質１７によってユーザ１０１の熱を奪うことによって、ユーザ１０１に冷感作用を生じさせている。
しかし、従来の物は、徐々に吸水物質１７自体が熱をおびてきてしまい、冷感作用が低下するという欠点があった。
そこで、装身用保冷具１は、意図的に通風部Ａを設け、使用時にも通風部Ａが閉塞されないような構造としている。
そのため、この通風部Ａを通って空気が循環するため、従来よりも、熱をより効果的に奪うことが可能となる。
これによって、冷感作用をより長時間維持する事が可能となる。
【００２３】
さらに、携帯用の扇風機、扇風機付きの服などと組み合わせると、より効果的に熱を奪うことが可能となる。これによって、長時間の冷感作用を維持することが可能となる。
【００２４】
＜第２の実施形態＞
図４は、第２の実施形態の説明図である。
【００２５】
図１〜３では、通風部Ａは、ユーザ１０１側に形成していたが、第２の実施形態では、通風部Ａは外側に形成している。
その他の構成は、第１の実施形態と同一であるため、説明を省略する。
【００２６】
＜第３の実施形態＞
図５は、第３の実施形態の説明図である。
【００２７】
第１の実施形態及び第２の実施形態では、連結部５は吸水物質１７を含有していなかったが、第３の実施形態では、連結部５にも吸水物質１７を含有させている。
もっとも、連結部５の吸水物質１７の量は、吸水部３よりも少なくして、通風部Ａを形成している。
【００２８】
＜第４の実施形態＞
図６は、第４の実施形態の説明図である。
【００２９】
第１の実施形態〜第３の実施形態では、一方のみ通風部Ａを形成していたが、連結部５は単に２つの吸水部３を連結すれば足りるので、ユーザ側及び外側の両方に通風部Ａを形成してもよい。
【００３０】
＜第５の実施形態＞
第１の実施形態〜第３の実施形態では、連結部５は、ユーザ側にのみ存在するか、又は、外側にのみ存在するかであった。
しかしながら、例えば連結部５をユーザ側に形成し、次の連結部５を外側に形成するというように、順番に形成してもよい。
さらに、２つおきにしても良いし、それ以上であっても良い。
また、ユーザ側に例えば２つ形成し、外側に１つ形成するということを繰り返しても良い。
【００３１】
＜第６の実施形態＞
図７は、第６の実施形態の説明図である。
【００３２】
吸水物質１７は、細かい粒形状である。
そのため、重力の影響で下側に集中することが予想される。
この現象が起きてしまうと、下側のみが大きく膨らみユーザ１０１に密着ができなくなる。そうでなくても、美観を大きく損なう。
そこで、吸水物質１７が下方に移動することを阻害するために、図７のように上下間縫目１１Ｓを設けることが望ましい。
【００３３】
ただし、さらに望ましくは、上下間縫目１１Ｓの端部はそれぞれ中間縫目１１ｍに到達しないように縫うことが望ましい。
その理由を以下説明する。
外側布１５及びユーザ側布１３の縫目等は、吸水物質１７を通過しない密度で形成されている。
同じように、上部縫目１１ｕ、下部縫目１１ｄ及び中間縫目１１ｍの縫目も吸水物質１７を通過しない密度で形成されている。
しかし、吸水物質１７は弾力性を有する。
さらに、外側布１５及びユーザ側布１３の縫目も圧力がかかると広がる可能性がある。
同様に、上部縫目１１、下部縫目１１ｄ及び中間縫目１１ｍの縫目も圧力がかかると広がる可能性がある。
そのため、例えば、ユーザ１０１が手で押す等によって、吸水物質１７に圧力がかかると、吸水物質１７が外にでるおそれがある。
そのため、圧力がかかった場合に吸水物質１７が移動する事ができるようにしておくことが望ましい。
そこで、本実施形態では、上下間縫目１１Ｓの端部はそれぞれ中間縫目１１ｍに到達しないように縫うことによって、これを解決している。
【００３４】
＜第７の実施形態＞
図８は、第７の実施形態の説明図である。
【００３５】
図８のように、吸水部３（給水物質１７）に隣接して、通風部Ａが形成されていても良い。
より具体的には、通風部Ａをチューブ状の管形状部材１８によって形成している。
そして、この管形状部材１８を、吸水部５に接着することができる。
もちろん、管形状部材１８を、吸水外側布１５ａによって形成することも可能である。
また、管形状部材１８の形状は、通風路Ａを形成できる形状であればどのようなものであってもよい。
例えば、四角形状で、内部の通風路Ａも四角の断面形状であってもよい。
さらに、十字形状で、内部の通風路Ａも十字形状であってもよい。
もちろん、外部形状と内部形状とが別の断面形状であっても良い、
【００３６】
＜第８の実施形態＞
図９は、第８の実施形態の説明図である。
【００３７】
図９のように、各吸水部３との上方及び下方、又は、いずれか一方に連結部５を形成することが可能である。
具体的には、吸水部３の上方は上側連結部５ａで連結され、吸水部３の下方は下側連結部５ｄで連結する事が可能である。
なお、連結部５は、上下のみならず、中間に形成されていても良い。
さらに、この中間に形成される連結部５は、上側連結部５ａ及び下側連結部５ｄに加えて形成することも可能である。
また、この、上側連結部５ａ及び下側連結部５ｄに加えて又は代わりに、中間位形成される連結部５は、複数であっても良い。
【００３８】
＜定義等＞
本発明の布部とは、例えば、麻、ポリエステル等の各種の材料を用いることが可能である。つまり、布状に形成されるものであれば、その材質を問わない。
また、吸水部の形状は、断面形状が長方形等で説明したが、その形状はその他の形状であっても構わない。
例えば、円形、十字形であってもよい。
【符号の説明】
【００３９】
１      ：装身用保冷具
３      ：吸水部（第１吸水部、第２吸水部）
５      ：連結部
５ａ    ：上側連結部
５ｄ    ：下側連結部
７      ：ボタン
９      ：切れ目
１１Ｓ  ：上下間縫目
１１ｄ  ：下部縫目
１１ｍ  ：中間縫目
１１ｕ  ：上部縫目
１３    ：ユーザ側布
１３ａ  ：吸水ユーザ側布
１３ｂ  ：連結ユーザ側布
１５    ：外側布
１５ａ  ：吸水外側布
１５ｂ  ：連結外側布
１７    ：吸水物質
１８    ：管形状部材
１０１  ：ユーザ
Ａ      ：通風部
【図１】
2017131272.tif 000003
【図２】
2017131272.tif 000004
【図３】
2017131272.tif 000005
【図４】
2017131272.tif 000006
【図５】
2017131272.tif 000007
【図６】
2017131272.tif 000008
【図７】
2017131272.tif 000009
【図８】
2017131272.tif 000010
【図９】
2017131272.tif 000011